(57)【要約】【課題】  片面粘着テープのテープカッターであって、通常のテープの使い方のほかに、リング状の粘着テープを迅速かつ容易に作ることができるものの提供。【解決手段】  本体４の刃３のテープ収納部２側に隣接してガイド５を設け、そのガイド５端に隣接してレバー７を設ける。そして、テープ巻取り体12として一対の第１ブレード８、第２ブレード９の中間部を互いに軸支し、それらの先端部に巻取り部10を形成する。さらに第１ブレード８の先端にピン部11を突設する。【選択図】        図１
2011132004.tif 000002
【特許請求の範囲】
【請求項１】
ロール状に懸回されたテープ(1) が、その軸線方向を幅方向にして収納されるテープ収納部(2)と、その長手方向の一端に設けられ、前記幅方向に配置された刃(3)と、を本体(4)に有するテープカッターにおいて、
その本体(4)の前記刃(3)のテープ収納部(2)側に隣接して前記幅方向に配置されたガイド(5)と、
そのガイド(5)の一端に隣接して上端部が位置し、前記長手方向へ移動自在に本体(4)に取付られ、その上端部に孔(30)またはスリット孔(6)が設けられたレバー(7)と、
一対の第１ブレード(8)および第２ブレード (9)が、それらの中間部または後端部で連結され、その先端部が鋏状に開閉して、その先端部にテープを挟持しつつ巻き取る巻取り部(10)を有し且つ、前記第１ブレード(8)の先端にピン部(11)が突設されたテープ巻取り体(12)と、を具備し、
そのテープ巻取り体(12)を、前記ガイド(5)に案内して、前記ピン部(11)を前記レバー(7)のスリット孔(6)の上端または孔(30)に挿入し、テープ(1) を挟持した状態で、テープ巻取り体(12)をそのピン部(11)の回りに回転して、テープ(1) を挟持しつつ巻取り、それを前記レバー(7)と共に刃(3)の外側に移動して、下降することにより、テープ(1) を切断できるように構成したテープカッター。
【請求項２】
請求項１において、
前記レバー(7)の下部が本体(4)に軸支されると共に、常時、その上端部が前記ガイド(5)の端に隣接した位置に復帰するように付勢され、
前記テープ巻取り体(12)のピン部(11)の先端部に首部(13)が設けられ、
前記レバー(7)のスリット孔(6)の上端、または孔(30)に隣接して、係止バネ(14)が設けられ、
そのピン部(11)をスリット孔(6)の上端または孔(30)に挿入したとき、その首部(13)が係止バネ(14)と係合して抜け止めされ、ピン部(11)をスリット孔(6)内を下降することにより、その係合が離脱するように構成されたテープカッター。
【請求項３】
請求項１または請求項２において、
前記テープ巻取り体(12)は、その第１ブレード(8)と第２ブレード(9)のいずれか一方のテープ挟持面に横断面凹曲面(15)が形成されると共に、その凹曲面(15)内に小凸条(17)が形成され、
他方のテープ挟持面には、それらに整合する横断面凸曲面(16)と、その凸曲面(16)に小凹条(18)が設けられたテープカッター。
【発明の詳細な説明】
【技術分野】
【０００１】
本発明は、片面粘着テープをループ状（リング状）に形成して、両面テープとすることができるテープカッターに関する。
【背景技術】
【０００２】
片面粘着テープをリング状に形成するものとして、下記特許文献１および特許文献２が知られている。これらはいずれも両面粘着テープの欠点を解消するものである。即ち、両面粘着テープでポスター等の掲示物を壁や掲示板に貼着し、それを剥がすとポスター等の破損をまねくことが多いと共に、両面テープが壁等に粘着したまま、剥がしにくい欠点がある。さらに、両面テープの場合には、剥離紙を剥がして取付る面倒があった。
そこで、片面粘着テープをその粘着面を外側にして、リング状にすることにより、掲示物を剥がすとき破損のおそれがないと共に、粘着テープを容易に剥がすことができるものとする。これは、貼着したリングの端が弧状に形成されているため、剥がし易くなるためである。
【０００３】
特許文献１に記載の器具は、ピンセットの柄のように端部にばね製の復元力を持たせた把持部を有し、その先端部の一方を横断面小判型のテープ取り付け部とし、もう一方の先端部をそれに整合させると共に、その挟持面と反対位置にカッター部を設けたものである。
特許文献２に記載のものは、一対のブレートの中間部を軸支し、その先端部側にテープの挟持面を設けたものである。
【先行技術文献】
【特許文献】
【０００４】
【特許文献１】登録実用新案第３０１１２２９号公報
【特許文献２】実開平１−１２３６６５号公報
【発明の概要】
【発明が解決しようとする課題】
【０００５】
従来のいずれの器具もその取扱いが面倒で、かつ指に粘着剤が接触する不快さがあった。
そこで、本発明はテープに指が触れることがなく、テープカッターから直接、片面粘着テープをリング状に迅速に形成できるテープカッターを提供することを課題とする。
【課題を解決するための手段】
【０００６】
請求項１に記載の本発明は、ロール状に懸回されたテープ(1) が、その軸線方向を幅方向にして収納されるテープ収納部(2)と、その長手方向の一端に設けられ、前記幅方向に配置された刃(3)と、を本体(4)に有するテープカッターにおいて、
その本体(4)の前記刃(3)のテープ収納部(2)側に隣接して前記幅方向に配置されたガイド(5)と、
そのガイド(5)の一端に隣接して上端部が位置し、前記長手方向へ移動自在に本体(4)に取付られ、その上端部に孔(30)またはスリット孔(6)が設けられたレバー(7)と、
一対の第１ブレード(8)および第２ブレード (9)が、それらの中間部または後端部で連結され、その先端部が鋏状に開閉して、その先端部にテープを挟持しつつ巻き取る巻取り部(10)を有し且つ、前記第１ブレード(8)の先端にピン部(11)が突設されたテープ巻取り体(12)と、を具備し、
そのテープ巻取り体(12)を、前記ガイド(5)に案内して、前記ピン部(11)を前記レバー(7)のスリット孔(6)の上端または孔(30)に挿入し、テープ(1) を挟持した状態で、テープ巻取り体(12)をそのピン部(11)の回りに回転して、テープ(1) を挟持しつつ巻取り、それを前記レバー(7)と共に刃(3)の外側に移動して、下降することにより、テープ(1) を切断できるように構成したテープカッターである。
【０００７】
請求項２に記載の本発明は、請求項１において、
前記レバー(7)の下部が本体(4)に軸支されると共に、常時、その上端部が前記ガイド(5)の端に隣接した位置に復帰するように付勢され、
前記テープ巻取り体(12)のピン部(11)の先端部に首部(13)が設けられ、
前記レバー(7)のスリット孔(6)の上端、または孔(30)に隣接して、係止バネ(14)が設けられ、
そのピン部(11)をスリット孔(6)の上端または孔(30)に挿入したとき、その首部(13)が係止バネ(14)と係合して抜け止めされ、ピン部(11)をスリット孔(6)内を下降することにより、その係合が離脱するように構成されたテープカッターである。
【０００８】
請求項３に記載の本発明は、請求項１または請求項２において、
前記テープ巻取り体(12)は、その第１ブレード(8)と第２ブレード(9)のいずれか一方のテープ挟持面に横断面凹曲面(15)が形成されると共に、その凹曲面(15)内に小凸条(17)が形成され、
他方のテープ挟持面には、それらに整合する横断面凸曲面(16)と、その凸曲面(16)に小凹条(18)が設けられたテープカッターである。
【発明の効果】
【０００９】
本発明のテープカッターは、ガイド５とレバー７とテープ巻取り体12とを有し、そのテープ巻取り体12をガイド５に案内して、その先端のピン部11をレバー７の上端のスリット孔６または孔30に挿入し、テープ１を挟持した状態で、テープ巻取り体12をそのピン部11の回りに回転してテープ１を巻取り、それをレバー７と共に刃３の外側に移動して、下降することにより、テープ１を切断できるように構成したものである。
そのため、片面粘着テープを環状に形成する際に、迅速かつ容易に行うことができる。
【００１０】
請求項２に記載のように、ピン部11の首部13に係止バネ14を係合して抜け止めし、ピン部11を下降することによりその係合が離脱するように構成した場合には、さらに環状テープを迅速かつ安定して作ることができる。
請求項３に記載のようにテープ巻取り体12の一方のブレートに凹曲面15と小凸条17とを形成し、他方のブレードに凸曲面16と小凹条18とを設けた場合には、環状に巻き取られたテープ１とテープ巻取り体12との分離を容易に行い得る。これは、一対の第１ブレード８、第２ブレード９の先端部を開放したとき、巻き取られたテープが小凸条17と小凹条18との存在により外方に膨らむからである。
【図面の簡単な説明】
【００１１】
【図１】本発明のテープカッター32の斜視図。
【図２】同使用状態を示す要部背面図。
【図３】同側面図。
【図４】同テープカッターのテープ巻取り体12によるテープ１の巻取り手順を順に示す図。
【図５】同テープ巻取り体12によって巻き取られたテープ１をポスター27の上面に転着する様子を示す平面図。
【図６】図５のVI−VI矢視断面図および、その第１ブレード８および第２ブレード９の分離状態を示す説明図。
【図７】リング状のテープ１をポスター27上に転着し、テープ巻取り体12をそれから取外した状態を示す平面図。
【図８】本発明の第２実施例の斜視図。
【図９】同縦断面図。
【図１０】同側面図。
【図１１】同テープ巻取り体12によって、テープ１を巻き取る手順を順に示す説明図。
【発明を実施するための形態】
【００１２】
（第１実施例）
次に、図面に基づいて本発明の各実施の形態につき説明する。
図１〜図７は、本発明の第１の実施の形態を示し、そのテープカッター32は図１に示す如く、本体４とテープ巻取り体12とを有する。本体４はその長手方向の後部に大きく凹嵌したテープ収納部２を有し、そのテープ収納部２の中央位置に形成された一対のＬ字溝24にテープ保持輪33の図示しない軸が着脱自在に係止される。そのテープ保持輪33の外周に、懸回されたテープ１が取り付けられる。本体４の前端位置には刃３が本体の幅方向に突設されている。そして、その刃３のテープ収納部２側に隣接して、本体４の幅方向に溝状のガイド５が形成されている。そのガイド５とテープ収納部２の境界に側壁26が設けられている。そして、ガイド５の一端に隣接して本体４の側部に、レバー７の下端が枢着部19において軸支されている。このレバー７の平面は波形に蛇行する。
【００１３】
レバー７の上端部には、スリット孔６がやや斜めの上下方向に貫通する。そしてレバー７は、本体４の側壁に設けた一対のストッパ21間を移動する。図２において、レバー７が右のストッパ21に鎖線の如く位置したとき、スリット孔６は垂直に位置される。そして、レバー７の上端に設けた第１バネ受け25ａの溝部に線材からなる係止バネ14の上端が係止され、その下端が本体４の側壁の下端のバネ座25に固定されている。さらに、係止バネ14の中間部が第２バネ受け22に係止されている。そして、係止バネ14によりレバー７がテープ収納部２側のストッパ21に当接するように付勢する。従って、この係止バネ14はレバー７の復帰バネを兼ねる。それと共に、係止バネ14の上端部はスリット孔６にわずかに臨み、後述するように、テープ巻取り体12の先端を係止する。
【００１４】
次に、テープ巻取り体12は、この例では洗濯バサミのような形状を有し、一対の第１ブレード８、第２ブレード９の中間部に枢着部19を有し、ハサミ状に開閉自在に配置され、その先端部を常時閉塞するＣ字状バネ20が一対の第１ブレード８、第２ブレード９間に配置されている。第１ブレード８と第２ブレード９との挟持面において、第２ブレード９には横断面Ｕ字状の凹曲面15が形成され、その中央に小凸条17が突出する。そして、この凹曲面15と小凸条17にそれぞれ整合するように、第１ブレード８の挟持面には凸曲面16と小凹条18とが形成されている。第１ブレード８の先端にはピン部11が突設され、そのピン部11の先端部には、係合用の首部13が設けられている。なお、第１ブレード８、第２ブレード９の幅はガイド５の幅よりわずかに小に形成されている。
【００１５】
（第１実施例の作用）
このようなテープ巻取り体12は、その先端部がガイド５内に案内され、そのピン部11がレバー７のスリット孔６上端に挿通される。このとき、ピン部11の首部13に係止バネ14の上端部が嵌着する。その結果、テープ巻取り体12は抜け止めされる。すなわち、図３においてテープ巻取り体12を右方向に引き抜くことができない。なお、テープ巻取り体12はガイド５に挿入する際、図１のごとく、一対の第１ブレード８、第２ブレード９の後端部どうしを接近させ、先端部間を開放しておく。そして、第１ブレード８と第２ブレード９間にテープ１を挟持する。この状態が図３である。
【００１６】
そこで、図４（Ａ）の状態から第１ブレード８、第２ブレード９をピン部11を中心として（Ｂ）、（Ｃ）のごとく回転する。ピン部11の先端は係止バネ14で係止されているので抜けることなく、安定して回転することができる。第２ブレード９が（Ｃ）において側壁26に当接すると、それ以上回転できない。これにより、テープ１は第１ブレード８の周りに１周を超えて巻回され、外面の粘着剤でリングが形成される。このとき、粘着面はリングの外面に存在する。
そこで次に、（Ｄ）のごとく第１ブレード８、第２ブレード９を左方に移動し、次いでスリット孔６内を（Ｅ）のごとく、ピン部11を下方に移動させる。すると刃３によってテープ１が切断される。このときピン部11の首部13から係止バネ14が外れる。すなわち、係止バネ14は図１および図２に示すごとく、スリット孔６の上端部のみに臨んでいるので、ピン部11をスリット孔６下端部まで移動させると係止バネ14との係止が外れる。そこで、図４（Ｅ）の状態からテープ巻取り体12を手前に引き抜くことができる。
【００１７】
引き抜いたテープ巻取り体12には、テープ１がリング状に巻回されている。そこで図５に示すごとく、一例としてポスター27の上面にテープ巻取り体12の先端部を載置する。すると図６（Ａ）に示すごとく、テープ１の粘着面がポスター27の上面に貼着する。そこで、第１ブレード８、第２ブレード９を図６（Ｂ）のごとく開く。すると、リング状のテープ１の挟持面側は第１ブレード８の外側に膨らむ。これはテープ１の外面側に粘着面があり、それが第２ブレード９の小凸条17および凹曲面15に貼着されていたが、その状態で第２ブレード９が開放されたため、テープ１の挟持面が外側に引張られるので、膨らむものである。
すると、第１ブレード８とテープ１のリング部との間に隙間が生じる。そのため、図７のごとく、テープ巻取り体12をリング状のテープ１から容易に引き抜くことができる。
【００１８】
（第２実施例）
次に、図８〜図11は本発明の第２の実施の形態を示す。
この例が前記第１の実施の形態と異なる点は、レバー７の形状並びに係止バネ14の形状のみである。
この例のレバー７は、平面コ字状に形成され、その後端部に長手方向へ伸びる水平部が設けられ、そこに長孔29が形成されている。そして、レバー７の先端の上端部に孔30が穿設され、そこに第１ブレード８のピン部11が挿通される。その孔30に隣接し、係止バネ14が設けられ、その係止バネ14に第１ブレード８のピン部11の首部13が係止される。
レバー７は、図９に示す如く、復帰バネ28により図８および図９の位置に付勢されている。そして、レバー７は図９において、テープ巻取り体12を移動することに伴い、実線の状態から鎖線の状態に移動する。この時、レバー７の長孔29がガイドピン34に案内される。
【００１９】
（第２実施例作用）
図10および図11はその作用を示すものである。図10の状態は、基本的には第１実施例の図３のそれと同一である。
次いで、図11の（Ａ）〜（Ｃ）の如く、第１ブレード８および第２ブレード９によりテープ１を挟持した状態で、それを回転する。次いで（Ｄ）の如く、レバー７を左方に移動しつつ、下方に移動する。すると刃３によりテープ１が切断され、第１ブレード８の周りにリング状のテープ１が形成される。なお、レバー７は左方に移動した時点で、係止バネ14の係止を外れる。そして、テープ巻取り体12を引き抜くことにより、第１実施例同様にテープ巻取り体12の先端部にリング状のテープ１を保持することができる。
【００２０】
なお、図９において、本体４の後端にはテープ巻取り体収納部23が設けられ、その横断面はテープ巻取り体12の先端部の横断面よりもわずかに大に形成され、内周が角筒状に形成されている。このテープ巻取り体収納部23にテープ巻取り体12の先端部を常時保持させ、リング状の両面テープを作るときのみ、そのテープ巻取り体12を取り出せばよい。それにより、通常のテープカッターとしても使用できる。また、テープ巻取り体収納部23の存在により、テープ巻取り体12の紛失を防ぐことができる。なお、このテープ巻取り体収納部23は前記第１の実施例（図1）にも存在する。
このテープ巻取り体収納部23の取付位置は、上記第１および第２実施例の作用を妨害しない位置ならばテープカッター本体のいずれの位置においても取り付けることができる。
【符号の説明】
【００２１】
１  テープ
２  テープ収納部
３  刃
４  本体
５  ガイド
６  スリット孔
７  レバー
８  第１ブレード
９  第２ブレード
【００２２】
10  巻取り部
11  ピン部
12  テープ巻取り体
13  首部
14  係止バネ
15  凹曲面
16  凸曲面
17  小凸条
18  小凹条
【００２３】
19  枢着部
20  Ｃ字状バネ
21  ストッパ
22  第２バネ受け
23  テープ巻取り体収納部
24  Ｌ字溝
25  バネ座
25a  第１バネ受け
26  側壁
27  ポスター
【００２４】
28  復帰バネ
29  長孔
30  孔
31  スリット
32  テープカッター
33  テープ保持輪
34  ガイドピン
【図１】
2011132004.tif 000003
【図２】
2011132004.tif 000004
【図３】
2011132004.tif 000005
【図４】
2011132004.tif 000006
【図５】
2011132004.tif 000007
【図６】
2011132004.tif 000008
【図７】
2011132004.tif 000009
【図８】
2011132004.tif 000010
【図９】
2011132004.tif 000011
【図１０】
2011132004.tif 000012
【図１１】
2011132004.tif 000013